(57)【特許請求の範囲】
【請求項１】
捨て枠と、下枠本体と、レール材と、左竪枠と、右竪枠とを備え、捨て枠、下枠本体及びレール材で新設下枠を構成しており、捨て枠は、複数の下段部と複数の上段部を備え、各下段部の下面同士は面一で且つ各上段部の上面同士は面一の板状であって、下段部の下面に既設下枠の上面に当接する既設下枠当接面と、上段部の上面に下枠本体の下面に当接する下枠本体当接面とを有し、既設枠と下枠本体とに各々ねじで止めてあり、下段部と下枠本体とで囲まれる空間及び上段部と既設下枠とで囲まれる空間を各々ねじの頭又は軸の収納空間としてあり、下枠本体は上面にフラット面を有し、フラット面を左右の竪枠当接面と、竪枠当接面間に位置するレール材載置面としてあり、左右の各竪枠当接面に各竪枠の下端面を突き当てて下枠本体の下側からねじで竪枠を固定してあり、レール材は、障子用レールと、下枠本体のレール材載置面に載置する被載置面とを有し、竪枠間で下枠本体に固定してあることを特徴とする建具枠。
【発明の詳細な説明】
【技術分野】
【０００１】
本発明は、玄関引戸の枠やテラス引戸の枠等をリフォームするリフォーム用の建具枠に関する。
【背景技術】
【０００２】
非特許文献１には、既設枠に取付けた新設下枠に竪枠を固定する建具枠が開示されており、新設下枠には、竪枠を固定する為のタッピングホールが設けられている。
【先行技術文献】
【非特許文献】
【０００３】
【非特許文献１】第６２頁「１ｄａｙ  リフォーム  Ｒｅｃｈｅｎｔ  リシェント」リフォーム商品カタログ  トステム株式会社  ２０１１年３月１日発行
【発明の概要】
【発明が解決しようとする課題】
【０００４】
しかし、非特許文献１の技術では、新設下枠にタッピングホールを設けているので、新設下枠の厚みが厚くなり、歩行時につまづきを誘発し易いという問題がある。
【０００５】
そこで、本発明は、新設下枠の厚みを薄くできる建具枠の提供を目的とする。
【課題を解決するための手段】
【０００６】
請求項１に記載の発明は、捨て枠と、下枠本体と、レール材と、左竪枠と、右竪枠とを備え、捨て枠、下枠本体及びレール材で新設下枠を構成しており、捨て枠は、複数の下段部と複数の上段部を備え、各下段部の下面同士は面一で且つ各上段部の上面同士は面一の板状であって、下段部の下面に既設下枠の上面に当接する既設下枠当接面と、上段部の上面に下枠本体の下面に当接する下枠本体当接面とを有し、既設枠と下枠本体とに各々ねじで止めてあり、下段部と下枠本体とで囲まれる空間及び上段部と既設下枠とで囲まれる空間を各々ねじの頭又は軸の収納空間としてあり、下枠本体は上面にフラット面を有し、フラット面を左右の竪枠当接面と、竪枠当接面間に位置するレール材載置面としてあり、左右の各竪枠当接面に各竪枠の下端面を突き当てて下枠本体の下側からねじで竪枠を固定してあり、レール材は、障子用レールと、下枠本体のレール材載置面に載置する被載置面とを有し、竪枠間で下枠本体に固定してあることを特徴とする建具枠である。
【発明の効果】
【０００７】
請求項１に記載の発明によれば、左右の竪枠は、下端面が下枠本体の上面に当接して下枠本体の下側から下枠本体にねじで固定してあるので、下枠本体にタッピングホールを設けないで済むから、下枠の厚みを薄くできる。
捨て枠には既設下枠当接面と下枠本体当接面とが設けてあり、下枠本体及び既設下枠に面で当接しているので、新設下枠を既設下枠に安定に取付けできる。
下枠本体のフラット面に竪枠端面を当接しているので、竪枠を安定に取付けできる。
【図面の簡単な説明】
【０００８】
【図１】本発明の実施の形態にかかる建具枠の縦断面図である。
【図２】本発明の実施の形態にかかる建具枠の横断面図である。
【図３】本発明の実施の形態にかかる建具枠において、新設下枠と既設下枠とを抜き出して示す縦断面図である。
【図４】図３に示す新設下枠と既設下枠との分解斜視図である。
【発明を実施するための形態】
【０００９】
以下に、添付図面の図１〜図４を参照して本発明の実施の形態を詳細に説明する。図１に示すように、本実施の形態に係る建具枠１は、既設玄関引戸の既設枠に取付けて玄関引戸をリフォームするものであり、新設下枠３と、左竪枠５と、右竪枠７と、上枠９とを備えている。
図１、図３及び図４に示すように、新設下枠３は、既設下枠１１に取付けてあり、捨て枠１３、下枠本体１５及びレール材１７で構成されている。尚、既設下枠１１のレールは切除してある。
捨て枠１３及び下枠本体１５はアルミニウム製のソリッド形材であり、レール材１７はステンレス製のソリッド形材である。
捨て枠１３は、下段部１９と上段部２１を備える一枚板状の押出形材であって、下段部１９の下面を既設下枠１１に面で当接する既設下枠当接面１９ａとしてあり、上段部２１の上面を下枠本体１５に面で当接する下枠本体当接面２１ａとしてある。上段部２１の下面側は、下方に開口する溝状を成している。
上段部２１は下から止めるねじ１４で下枠本体１５に固定してあり、上段部２１の溝にはねじ１４の頭１４ｂが収納されている。
また、捨て枠１３の下段部１９の上面には、室外側に向けて突設した係止部２５が形成してある。
捨て枠１３は、既設下枠当接面１９ａを既設下枠１１に当接して下段部１９を既設下枠１１にねじ２３で取付けてある。
【００１０】
下枠本体１５は、上面にフラット面部２７と、フラット面部２７よりも室内側で上方に突設した網戸レール２９が形成されている。図３及び図４に示すように、網戸レール２９の下端部の室外側面には、レール材係合部３０が形成してあり、レール材１７の室内側端１７ａを覆っている。
下枠本体１５の下面には、室内側に向けて突設した被係止部３１が形成されており、被係止部３１は、捨て枠１３の係止部２５に室外側から係止している。また、下枠本体１５の室内側端には既設下枠１１の室内側壁１１ａに当接する既設枠当接部３３が形成されている。
下枠本体１５のフラット面部２７の上面には、左側に左竪枠５の下端が当接する竪枠当接面２７ｂと、右側に右竪枠５の下端が当接する竪枠当接面２７ｂが設けてあり、左右の竪枠当接面２７ｂ、２７ｂ間にレール材１７を載置するレール材載置面２７ａが形成してある。
下枠本体１５には、そのフラット面部２７に、捨て枠１３と既設下枠１１を止めるねじ２３の挿通穴３５が形成してある。
【００１１】
レール材１７には、上方に突設した凸条の障子用レール３７が形成してあり、各障子用レール３７の室外側には、障子用レール３７に対向する位置に気密材当接部３９が障子用レール３７と平行に設けてある。障子用レール３７の内部は下方に開口した溝状を成しており、障子用レール３７の溝内には、捨て枠１３と下枠本体１５を止めるねじ１４の軸部１４ａを収納している。
レール材１７の室外側端には、下枠本体１５の室外側端との係合部４０が形成してあり、係合部４０を下枠本体１５の室外側端に引っ掛けてある。レール材１７は、上から止めるねじ４２で下枠本体１５に固定してあり、ねじ４２の軸部４２ａは、捨て枠１３の下段部１９と下枠本体１５のフラット面部２７との間の空間Ｓに配置してある。
【００１２】
次に、左竪枠５及び右竪枠７と、新設下枠３との関係を説明するが、図２に示すように、左竪枠５及び右竪枠７は同じ構成であるから、左竪枠５のみについて説明する。左竪枠５の下端は、下枠本体１５の左端部において、フラット面部２７の上面に上から当接してあり、下枠本体１５の下側から止めるねじ４１で左竪枠５のタッピングホール４３に止めてある。
また、左竪枠５は、既設竪枠４５及び躯体４７にねじ４９で枠の内周側から止めてある。
左竪枠５の室外側には、竪カバー材５５が左竪枠５の上下に沿って設けてあり、図１に示すように、竪カバー材５５の下端５５ａは下枠本体１５と左竪枠５との当接面５６よりも下に配置されている。
一方、上枠９は既設上枠５１及び躯体４７にねじ５３で枠の内周側から止めてある。また、上カバー材５７が上枠９に取付けてある。
尚、図１及び図２に二点鎖線で示すのは、引戸障子５９と、網戸６１である。
【００１３】
次に、本実施の形態にかかるリフォーム玄関引戸１の施工、作用効果について、説明する。
図３及び図４に示すように、捨て枠１３と下枠本体１５とを重ねて、捨て枠１３の下枠本体当接面２１ａに下枠本体１５のフラット面部２７の下面を当接させると共に捨て枠１３の係止部２５に下枠本体１５の被係止部３１を室外側から係止して、上段部２１の溝にねじ１４の頭を収納するようにして、捨て枠１３と下枠本体１５とを固定する。
その後、下枠本体１５の左右方向両端部において、フラット面部２７の左右の上面にある各竪枠当接面２７ｂに左竪枠５と右竪枠７の下端を突き当てて、図１及び図２に示すように、下枠本体１５に下方から止めるねじ４１で、各竪枠５、７のタッピングホール４３にねじ止めする。
【００１４】
一方、図１に示すように、上枠９を既設上枠５１と躯体４７に止めるねじ５３で固定しておく。
そして、図１及び図２に示すように、既設下枠１１と、左右の既設竪枠４５、４５と上枠９とで囲まれる空間内に、上述した新設下枠３に左右の竪枠５、７を枠組したものを配置する。
次に、図３及び図４に示すように、下枠本体１５のねじ挿通穴３５にねじ２３を挿通して捨て枠１３と既設下枠１１とをねじ固定する。
【００１５】
その後、レール材１７の係合部４０を下枠本体１５の室外側端に引っ掛けて、レール材１７を下枠本体１５のフラット面部２７における左右の竪枠５、７にあるレール材載置面２７ａに配置すると共にレール材１７の室内側端を網戸レール２９の係合部３０の下に配置する。尚、捨て枠１３と下枠本体１５とを止めるねじ１４の軸部１４ａは、障子用レール３７の溝内に配置する。
そして、下枠本体１５と捨て枠１３との間で上段部２１により形成した空間Ｓに対応する位置において、上から止めるねじ４２でレール材１７を下枠本体１５に固定する。
レール材１７と下枠本体１５とを止めるねじ４２の軸部４２ａは、下枠本体１５と捨て枠１３との間の空間Ｓに配置される。
一方、図２に示すように、左右の竪枠５、７は、既設竪枠４５、４５及び躯体４７に各々ねじ４９で固定すると共に上枠９に横から止めるねじで上枠９のタッピングホール９ａ（図１参照）に固定する。
【００１６】
本実施の形態によれば、図１及び図２に示すように、左右の竪枠５、７は各々下端を、下枠本体１５のフラット面部２７にある竪枠当接面２７ｂに当接して下枠本体１５の下側から竪枠５、７のタッピングホール４３にねじ４１で固定してあるので、下枠本体１５にタッピングホールを設けないで済み、新設下枠３の厚みを薄くできる。
捨て枠１３には既設下枠当接面１９ａと下枠本体当接面２１ａとが設けてあり、下枠本体１５及び既設下枠１１に各々面で当接しているので、新設下枠３を既設下枠１１に安定に取付けできる。
下枠本体１５のフラット面部２７にある竪枠当接面２７ｂに左右の竪枠５、７の各端面を当接しているので、竪枠５、７を安定に取付けできる。
【００１７】
図１及び図３に示すように、捨て枠１３、下枠本体１５及びレール材１７にソリッド形材を用いているので、これらで構成する新設下枠３の厚みが中空形材を用いる場合に比較して薄くできる。
既設下枠１１に新設下枠３を止めるねじ２３の頭は、捨て枠３と下枠本体１５との間で上段部２１により形成した空間Ｓに配置されるから、ねじ２３の頭が邪魔にならない。
下枠本体１５に形成したねじ挿通穴３５は、レール材１７が覆って隠しているので、概観が良い。
捨て枠１３と下枠本体１５とを止めるねじ１４の軸部１４ａはレール材１７の障子用レール３７の溝内に配置してあるので、簡易な構成でねじ１４の軸部１４ａを隠すことができる。
捨て枠１３と下枠本体１５とを止めるねじ１４の頭１４ｂは、捨て枠１３において上段部２１の溝内に収まっているので、施工の邪魔にならない。
アルミニウム製の下枠本体１５に網戸用レール２９を形成しているので、高価なステンレス材の使用量を少なくできる。
レール材１７を下枠本体１５に止めるねじ４２の軸部４２ａは、捨て枠３と下枠本体１５との間で上段部２１、２１間に形成した空間Ｓに配置しているので、新設下枠３の厚みを薄くしても軸部４２ａを逃すことができる。
レール材１７の室外側端には下枠本体１５の室外側端に引っ掛ける係合部４０を設けているので、位置決めが容易にできる。
レール材１７の室内側端は、網戸レール２９に設けた係合部３０で覆うことができ、概観が良い。
竪カバー材５５の下端５５ａは下枠本体１５と左右の竪枠５、７との当接面よりも下に配置して、当接面を隠しているので、かかる当接面を化粧処理しないで済む。
捨て枠１３と下枠本体１５とに互いに係止する係止部２５や被係止部３１を設けているので、捨て枠１３と下枠本体１５との位置決めが容易にできる。
【００１８】
本発明は、上述した実施の形態に限らず、本発明の要旨を逸脱しない範囲で種々変形可能である。
例えば、下枠本体１５に網戸レール２９を形成しないで、網戸を設けないものであってもよい。
【符号の説明】
【００１９】
１    建具枠
３    新設下枠
５    左竪枠
７    右竪枠
１１  既設下枠
１３  捨て枠
１５  下枠本体
１７  レール材
１９ａ  既設下枠当接面
２１ａ  下枠本体当接面
２７  フラット面部（フラット面）
２７ａ  レール材載置面
２７ｂ  竪枠当接面
【図１】
0005944166.tif 000002
【図２】
0005944166.tif 000003
【図３】
0005944166.tif 000004
【図４】
0005944166.tif 000005